(57)【要約】      （修正有）【課題】入力軸からの正転及び逆転の動力を用紙ピックアップローラーに伝送し、用紙ピックアップローラーを空回りさせることによって用紙ピックアップローラーからの動力を遮断することができる双方向用紙ピックアップ構造を提供する。【解決手段】用紙ピックアップローラー２０と、入力軸３０と、前記入力軸に套設され、且つ前記用紙ピックアップローラーの１つの末端に固定接続される第１ラチェット４０と、前記入力軸に套設され、且つ前記用紙ピックアップローラーの他の１つの末端に固定接続される第２ラチェット５０と、前記入力軸と共に回転するように前記入力軸に固定され、且つ第１作動面及び第２作動面を有するアクチュエータ６０と、前記第１ラチェットと前記第１作動面との間に套設される第１伝動回転子７０と、前記第２ラチェットと前記第２作動面との間に套設される第２伝動回転子８０とを含む、双方向用紙ピックアップ構造。【選択図】図１
0003233296.tif 000002
【実用新案登録請求の範囲】
【請求項１】
軸方向に沿って両末端に延伸された内部空間を有する用紙ピックアップローラーと、
固定構造体と、
前記内部空間に設けられ、前記固定構造体に回転可能にピン接合される入力軸と、
前記入力軸に套設され、且つ前記用紙ピックアップローラーの１つの末端に固定接続される第１ラチェットと、
前記入力軸に套設され、且つ前記用紙ピックアップローラーの他の１つの末端に固定接続される第２ラチェットと、
前記入力軸と共に回転するように前記入力軸に固定され、且つ第１作動面及び第２作動面を有するアクチュエータと、
前記入力軸に套設され、前記第１ラチェットと前記第１作動面との間に位置する第１伝動回転子であって、前記アクチュエータに隣接する当該第１伝動回転子の端面に設けられた第１作動端及び前記第１ラチェットに隣接する当該第１伝動回転子の端面に設けられた第１ラチェット端を有する、第１伝動回転子と、
前記入力軸に套設され、前記第２ラチェットと前記第２作動面との間に位置する第２伝動回転子であって、前記アクチュエータに隣接する当該第２伝動回転子の端面に設けられた第２作動端及び前記第２ラチェットに隣接する当該第２伝動回転子の端面に設けられた第２ラチェット端を有する、第２伝動回転子と、
を含む、双方向用紙ピックアップ構造であって、
前記第１作動面及び前記第１作動端が合わさって第１運動方向変換ユニットを形成し、前記入力軸が前記第１伝動回転子に対して給紙方向に回転すると、前記第１伝動回転子が前記第１運動方向変換ユニットによって押されて前記第１ラチェットに接近する方向へ摺動され、
前記第１ラチェット及び前記第１ラチェット端が合わさって第２運動方向変換ユニットを形成し、前記入力軸が前記第１伝動回転子に対して用紙排出方向に回転すると、前記第１伝動回転子が前記第２運動方向変換ユニットによって押されて前記第１ラチェットから離れる方向へ摺動され、
前記第２作動面及び前記第２作動端が合わさって第３運動方向変換ユニットを形成し、前記入力軸が前記第２伝動回転子に対して用紙排出方向に回転すると、前記第２伝動回転子が前記第３運動方向変換ユニットによって押されて前記第２ラチェットに接近する方向へ摺動され、
前記第２ラチェット及び前記第２ラチェット端が合わさって第４運動方向変換ユニットを形成し、前記入力軸が前記第２伝動回転子に対して給紙方向に回転すると、前記第２伝動回転子が前記第４運動方向変換ユニットによって押されて前記第２ラチェットから離れる方向へ摺動される、
ことを特徴とする、双方向用紙ピックアップ構造。
【請求項２】
前記第１ラチェットは、前記入力軸の軸方向に沿って連続的に形成された環状鋸歯状の面を有し、
前記第１ラチェット端は、前記入力軸の軸方向に沿って連続的に形成された環状鋸歯状の面を有し、かつ、前記第１伝動回転子が給紙方向に回転する際に前記第１ラチェットとの接触面を段付き面とし、前記第１伝動回転子が用紙排出方向に回転する際に前記第１ラチェットとの接触面を斜面とする、
ことを特徴とする、請求項１に記載の双方向用紙ピックアップ構造。
【請求項３】
前記第１ラチェットは、前記入力軸方向に沿って延伸された第１中空軸を有し、
前記第１伝動回転子は、前記入力軸方向に沿って延伸された第１軸孔を有し、
前記第１中空軸は、前記第１軸孔にピン接合され、前記第１軸孔にしっかりとはまる、
ことを特徴とする、請求項１に記載の双方向用紙ピックアップ構造。
【請求項４】
前記第１軸孔の内壁に互いに対向する２つの第１挟持面が設けられ、
前記２つの第１挟持面の間の距離は、前記第１中空軸の直径より小さい、
ことを特徴とする、請求項３に記載の双方向用紙ピックアップ構造。
【請求項５】
前記第２ラチェットは、前記入力軸の軸方向に沿って連続的に形成された環状鋸歯状の面を有し、
前記第２ラチェット端は、前記入力軸の軸方向に沿って連続的に形成された環状鋸歯状の面を有し、かつ、前記第２伝動回転子が用紙排出方向に回転する際に前記第２ラチェットとの接触面を段付き面とし、前記第２伝動回転子が給紙方向に回転する際に前記第２ラチェットとの接触面を斜面とする、
ことを特徴とする、請求項１に記載の双方向用紙ピックアップ構造。
【請求項６】
前記固定構造体は、前記入力軸方向に沿って延伸された第２中空軸を有し、
前記第２伝動回転子は、前記入力軸方向に沿って延伸された第２軸孔を有し、
前記第２中空軸は、前記第２軸孔にピン接合され、前記第２軸孔にしっかりとはまる、
ことを特徴とする、請求項１に記載の双方向用紙ピックアップ構造。
【請求項７】
前記第２軸孔の内壁に互いに対向する２つの第２挟持面が設けられ、
前記２つの第２挟持面の間の距離は、前記第２中空軸の直径より小さい、
ことを特徴とする、請求項６前記の双方向用紙ピックアップ構造。
【請求項８】
前記アクチュエータは、前記入力軸の軸方向に沿って対称的に設けられた複数の作動ブロックを有し、
前記作動ブロックは、前記第１作動面に向かう方向に延伸され、
前記第１作動端は、前記入力軸の軸方向に沿って対称的に設けられた複数の第１伝動ブロックを有し、
前記第１伝動ブロックは、前記作動ブロックが給紙方向に回転する際に前記作動ブロックとの接触面を斜面とし、前記作動ブロックが用紙排出方向に回転する際に前記作動ブロックとの接触面を段付き面とする、
ことを特徴とする、請求項１に記載の双方向用紙ピックアップ構造。
【請求項９】
前記アクチュエータは、前記入力軸の軸方向に沿って対称的に設けられた複数の作動ブロックを有し、
前記作動ブロックは、前記第２作動面に向かう方向に延伸され、
前記第２作動端は、前記入力軸の軸方向に沿って対称的に設けられた複数の第２伝動ブロックを有し、
前記第２伝動ブロックは、前記制動ブロックが用紙排出方向に回転する際に前記作動ブロックとの接触面を斜面とし、前記制動ブロックが給紙方向に回転する際に前記作動ブロックとの接触面を段付き面とする、
ことを特徴とする、請求項１に記載の双方向用紙ピックアップ構造。
【考案の詳細な説明】
【技術分野】
【０００１】
本考案は、入力軸と用紙ピックアップローラーとの間の動力伝送状態を変更できる双方向用紙ピックアップ構造に関し、特に、入力軸からの正転及び逆転の動力を用紙ピックアップローラーに伝送し、用紙ピックアップローラーを空回りさせることで用紙ピックアップローラーからの動力を遮断できる双方向用紙ピックアップ構造に関する。
【背景技術】
【０００２】
以下、図１０を参照しながら説明する。従来の用紙ピックアップ構造は、用紙を送るための用紙ピックアップローラー１０１と、摩擦力によって、繰り返して送られて重ねた用紙を止めるための用紙分離ユニット１０２とを有する。また、給紙中に用紙を平らに保つために、下流に設けられる給紙ローラー１０３の回転数が用紙ピックアップローラー１０１より早くように設定され、前記用紙ピックアップローラー１０１と前記給紙ローラー１０３との回転数差によって用紙に張力をかけて、用紙を平らに保つ。なお、従来の用紙ピックアップローラー１０１は、通常、一方向のトルクリミッター（図示せず）が設けられる。モーターの動力が前記トルクリミッターを介して前記用紙ピックアップローラー１０１に伝送され、かつ、前記用紙ピックアップローラー１０１が用紙の牽引力によって加速される際に、前記トルクリミッターが空回りする。それにより、張力が大き過ぎて用紙に損傷を与えることが避けられる。
【０００３】
しかしながら、従来の用紙ピックアップ構造は、前記用紙ピックアップローラー１０１が用紙によって牽引される時に、トルクリミッターが空回りするため、給紙中に用紙に異常がある場合に、モーターを反転させることによって用紙ピックアップ構造から用紙を自動的に退出させることができない。使用者が用紙ピックアップ構造を手動で開けて異常の用紙を取り出さなければならない。
【０００４】
そのため、用紙の牽引力によって加速されて空回りする同時に、用紙を上流及び下流の双方向に送ることができる双方向用紙ピックアップ構造が求められている。
【考案の概要】
【考案が解決しようとする課題】
【０００５】
本考案は、入力軸からの正転及び逆転の動力を用紙ピックアップローラーに伝送し、用紙ピックアップローラーを空回りさせることによって用紙ピックアップローラーからの動力を遮断することができる双方向用紙ピックアップ構造を提供することを目的とする。
【課題を解決するための手段】
【０００６】
上記の目的を実現するために、本考案に係る双方向用紙ピックアップ構造は、軸方向に沿って両末端に延伸された内部空間を有する用紙ピックアップローラーと、固定構造と、前記内部空間に設けられ、前記固定構造に回転可能にピン接合される入力軸と、前記入力軸に套設され、且つ前記用紙ピックアップローラーの１つの末端に固定接続される第１ラチェットと、前記入力軸に套設され、且つ前記用紙ピックアップローラーの他の１つの末端に固定接続される第２ラチェットと、前記入力軸と共に回転するように前記入力軸に固定され、且つ第１作動面及び第２作動面を有するアクチュエータと、前記入力軸に套設され、前記第１ラチェットと前記第１作動面との間に位置する第１伝動回転子であって、前記アクチュエータに隣接する当該第１伝動回転子の端面に設けられた第１作動端及び前記第１ラチェットに隣接する当該第１伝動回転子の端面に設けられた第１ラチェット端を有する、第１伝動回転子と、前記入力軸に套設され、前記第２ラチェットと前記第２作動面との間に位置する第２伝動回転子であって、前記アクチュエータに隣接する当該第２伝動回転子の端面に設けられた第２作動端及び前記第２ラチェットに隣接する当該第２伝動回転子の端面に設けられた第２ラチェット端を有する、前記第２伝動回転子とを含む、双方向用紙ピックアップ構造であって、前記第１作動面及び前記第１作動端が合わさって第１運動方向変換ユニットを形成し、前記入力軸が前記第１伝動回転子に対して給紙方向に回転すると、前記第１伝動回転子が前記第１運動方向変換ユニットによって押されて前記第１ラチェットに接近する方向へ摺動され、前記第１ラチェット及び前記第１ラチェット端が合わさって第２運動方向変換ユニットを形成し、前記入力軸が前記第１伝動回転子に対して用紙排出方向に回転すると、前記第１伝動回転子が前記第２運動方向変換ユニットによって押されて前記第１ラチェットから離れる方向へ摺動され、前記第２作動面及び前記第２作動端が合わさって第３運動方向変換ユニットを形成し、前記入力軸が前記第２伝動回転子に対して用紙排出方向に回転すると、前記第２伝動回転子が前記第３運動方向変換ユニットによって押されて前記第２ラチェットに接近する方向へ摺動され、前記第２ラチェット及び前記第２ラチェット端が合わさって第４運動方向変換ユニットを形成し、前記入力軸が前記第２伝動回転子に対して給紙方向に回転すると、前記第２伝動回転子が前記第４運動方向変換ユニットによって押されて前記第２ラチェットから離れる方向へ摺動される。
【０００７】
好ましい実施例において、前記第１ラチェットは、前記入力軸の軸方向に沿って連続的に形成された環状鋸歯状の面を有し、前記第１ラチェット端は、前記入力軸の軸方向に沿って連続的に形成された環状鋸歯状の面を有し、かつ前記第１伝動回転子が給紙方向に回転する際に前記第１ラチェットとの接触面を段付き面とし、前記第１伝動回転子が用紙排出方向に回転する際に前記第１ラチェットとの接触面を斜面とする。
【０００８】
好ましい実施例において、前記第１ラチェットは、前記入力軸方向に沿って延伸された第１中空軸を有し、前記第１伝動回転子は、前記入力軸方向に沿って延伸された第１軸孔を有し、前記第１中空軸は、前記第１軸孔にピン接合され、前記第１軸孔にしっかりとはまる。
【０００９】
好ましい実施例において、前記第１軸孔の内壁に互いに対向する２つの第１挟持面が設けられ、前記２つの第１挟持面の間の距離は、前記第１中空軸の直径より小さい。
【００１０】
好ましい実施例において、前記第２ラチェットは、前記入力軸の軸方向に沿って連続的に形成された環状鋸歯状の面を有し、前記第２ラチェット端は、前記入力軸の軸方向に沿って連続的に形成された環状鋸歯状の面を有し、且つ前記第２伝動回転子が用紙排出方向に回転する際に前記第２ラチェットとの接触面を段付き面とし、前記第２伝動回転子が給紙方向に回転する際に前記第２ラチェットとの接触面を斜面とする。
【００１１】
好ましい実施例において、前記固定構造は、前記入力軸方向に沿って延伸された第２中空軸を有し、前記第２伝動回転子は、前記入力軸方向に沿って延伸された第２軸孔を有し、前記第２中空軸は、前記第２軸孔にピン接合され、前記第２軸孔にしっかりとはまる。
【００１２】
好ましい実施例において、前記第２軸孔の内壁に互いに対向する２つの第２挟持面が設けられ、前記２つの第２挟持面の間の距離は、前記第２中空軸の直径より小さい。
【００１３】
好ましい実施例において、前記アクチュエータは、前記入力軸の軸方向に沿って対称的に設けられた複数の作動ブロックを有し、前記作動ブロックは、前記第１作動面に向かう方向に延伸され、前記第１作動端は、前記入力軸の軸方向に沿って対称的に設けられた複数の第１伝動ブロックを有し、前記第１伝動ブロックは、前記作動ブロックが給紙方向に回転する際に前記作動ブロックとの接触面を斜面とし、前記作動ブロックが用紙排出方向に回転する際に前記作動ブロックとの接触面を段付き面とする。
【００１４】
好ましい実施例において、前記アクチュエータは、前記入力軸の軸方向に沿って対称的に設けられた複数の作動ブロックを有し、前記作動ブロックは、前記第２作動面に向かう方向に延伸され、前記第２作動端は、前記入力軸の軸方向に沿って対称的に設けられた複数の第２伝動ブロックを有し、前記第２伝動ブロックは、前記制動ブロックが用紙排出方向に回転する際に前記作動ブロックとの接触面を斜面とし、前記制動ブロックが給紙方向に回転する際に前記作動ブロックとの接触面を段付き面とする。
【図面の簡単な説明】
【００１５】
【図１】本考案に係る双方向用紙ピックアップ構造を示す分解図である。
【図２】本考案に係る用紙ピックアップローラーと、第１ラチェットと、第２ラチェットとを示す部分断面図である。
【図３】本考案に係る第１伝動回転子と、第２伝動回転子とを示す斜視図である。
【図４】本考案に係る入力軸を示す斜視図である。
【図５】本考案に係る双方向用紙ピックアップ構造を示す部分断面図である。
【図６】本考案に係る双方向用紙ピックアップ構造の入力軸が給紙方向に回転する時の作動状態を示す模式図である。
【図７】本考案に係る双方向用紙ピックアップ構造の入力軸が用紙排出方向に回転する時の作動状態を示す模式図である。
【図８】本考案に係る双方向用紙ピックアップ構造の給紙中の作動状態を示す模式図である。
【図９】本考案に係る双方向用紙ピックアップ構造の用紙ピックアップローラーが給紙方向に牽引される時の作動状態を示す模式図である。
【図１０】従来の用紙ピックアップ構造を示す模式図である。
【考案を実施するための形態】
【００１６】
以下、実施例及び図面を参照しながら本考案の技術的な内容、特徴、目的、及び効果を詳しく説明する。
【００１７】
実際の給紙機構における各素子の設置方向を１つ１つに詳しく例示できない。そのため、各素子の回転方向をより明確に説明するために、本明細書において、給紙方向とは、給紙機構の全体において用紙を用紙進入口から用紙排出口に送る方向であり、排出方向とは、給紙機構の全体において用紙を用紙排出口から用紙進入口に送る方向である。「給紙方向に回転する」とは、用紙を給紙方向に送るように回転軸が回転することを意味し、「排出方向に回転する」とは、用紙を排出方向に送るように回転軸が回転することを意味する。
【００１８】
以下、図１〜図４を参照しながら説明する。本考案に係る双方向用紙ピックアップ構造は、軸方向に沿って両末端に延伸された内部空間２１を有する用紙ピックアップローラー２０と、前記内部空間２１に設けられた固定構造１０と、前記内部空間２１に設けられ、前記固定構造１０に回転可能にピン接合される入力軸３０と、前記入力軸３０に套設され、且つ前記用紙ピックアップローラー２０の１つの末端に固定接続される第１ラチェット４０と、前記入力軸３０に套設され、且つ前記用紙ピックアップローラー２０の他の１つの末端に固定接続される第２ラチェット５０と、前記入力軸３０と共に回転するように前記入力軸３０に固定され、且つ第１作動面６１及び第２作動面６２を有するアクチュエータ６０と、前記入力軸３０に套設され、前記第１ラチェット４０と前記第１作動面６１との間に位置し、且つ前記アクチュエータ６０に隣接する端面に設けられた第１作動端７１及び前記第１ラチェット４０に隣接する端面に設けられた第１ラチェット端７２を有する第１伝動回転子７０と、前記入力軸３０に套設され、前記第２ラチェット５０と前記第２作動面６２との間に位置し、且つ前記アクチュエータ６０に隣接する端面に設けられた第２作動端８１及び前記第２ラチェット５０に隣接する端面に設けられた第２ラチェット端８２を有する第２伝動回転子８０とを含む。
【００１９】
また、前記第１ラチェット４０は、前記入力軸３０方向に沿って延伸された第１中空軸４１をさらに有し、前記第１伝動回転子７０は、前記入力軸３０方向に沿って延伸された第１軸孔７３を有し、前記第１軸孔７３の内壁に互いに対向する２つの第１挟持面７４が設けられ、前記２つの第１挟持面７４の間の距離は、第１中空軸４１の直径より小さい。また、前記第１中空軸は、前記第１軸孔７３にピン接合される際に、前記第１軸孔７３にしっかりとはまる。そのため、前記第１ラチェット４０及び前記第１伝動回転子７０は、伝動力を受ける場合、同期して回転する。しかしながら、伝動力が閾値を超えた場合には、前記第１ラチェット４０及び前記第１伝動回転子７０の同期回転が停止される。
【００２０】
前記固定構造１０は、前記入力軸３０方向に沿って延伸された第２中空軸１１を有し、前記第２伝動回転子８０は、前記入力軸３０方向に沿って延伸された第２軸孔８３を有し、前記第２軸孔８３の内壁に互いに対向する２つの第２挟持面８４が設けられ、前記２つの第２挟持面８４の間の距離は、前記第２中空軸１１の直径より小さい。これにより、前記第２中空軸１１は、前記第２軸孔８３にピン接合される際に、前記第２軸孔８３にしっかりとはまる。そのため、前記第２伝動回転子８０は、受けた伝動力が閾値未満である場合、前記固定構造１０によって妨げられて回転が停止されるが、伝動力が閾値を超えた場合、前記第２伝動回転子８０が回転し始める。
【００２１】
また、図３及び図５を参照しながら説明する。伝動力の伝送を自動制御する機能を持たせるために、本考案に係る双方向用紙ピックアップ構造は、第１伝動回転子７０の軸方向の両端面にそれぞれ前記アクチュエータ６０に接続された第１運動方向変換ユニット９１及び前記第１ラチェット４０に接続された第２運動方向変換ユニット９２が設けられ、前記第２伝動回転子８０の軸方向の両端面にそれぞれ前記アクチュエータ６０に接続された第３運動方向変換ユニット９３及び前記第２ラチェット５０に接続された第４運動方向変換ユニット９４が設けられる。前記第１運動方向変換ユニット９１ないし第４運動方向変換ユニット９４は、軸方向周りの回転運動を軸方向に沿う並進運動に変換させる機能を有し、それにより、前記第１伝動回転子７０及び第２伝動回転子８０と前記用紙ピックアップローラー２０との間の動力の伝送を制御することができる。
【００２２】
前記第１作動面６１及び前記第１作動端７１が合わさって前記第１運動方向変換ユニット９１を形成する。本実施例において、前記アクチュエータ６０は、前記入力軸３０の軸方向に沿って対称的に設けられた２つの作動ブロック６３を有する。前記作動ブロック６３は、前記第１作動面６１及び前記第２作動面６２に向かう方向に延伸されている。前記第１作動端７１は、前記入力軸３０の軸方向に沿って対称的に設けられる２つの第１伝動ブロック７１１を有する。前記第１伝動ブロック７１１は斜面Ｒ及び段付き面Ｓを有し、前記作動ブロック６３が給紙方向に回転する際に前記作動ブロック６３との接触側を斜面Ｒとし、前記作動ブロック６３が用紙排出方向に回転する際に前記作動ブロック６３との接触側を段付き面Ｓとする。前記第１ラチェット４０及び前記第１ラチェット端７２が合わさって第２運動方向変換ユニット９２を形成する。前記第１ラチェット４０は、前記入力軸３０の軸方向に沿って連続的に形成された環状鋸歯状の面を有する。前記第１ラチェット端７２は、前記入力軸３０の軸方向に沿って連続的に形成された環状鋸歯状の面を有する。これらの環状鋸歯状の面は斜面及び段付き面からなっており、前記第１伝動回転子７０が給紙方向に回転する際に前記第１ラチェット４０との接触面を段付き面Ｓとし、前記第１伝動回転子７０が給紙方向に回転する際に前記第１ラチェット４０との接触面を斜面Ｒとする。
【００２３】
そのため、前記第１伝動回転子７０は、前記入力軸３０の回転方向によって異なる方向に移動することができる。図６及び図７に示すように、前記入力軸３０が前記第１伝動回転子７０に対して給紙方向に回転する場合には、前記第１伝動ブロック７１１が回転する時に、前記第１伝動回転子７０が前記第１運動方向変換ユニット９１によって押されて前記第１ラチェット４０に向かう方向に移動される。前記第１伝動回転子７０は、前記第１ラチェット４０と噛み合い、それにより、給紙方向の伝動力を前記用紙ピックアップローラー２０に伝送する。これに対して、前記入力軸３０が前記第１伝動回転子７０に対して用紙排出方向に回転する場合には、前記第１伝動回転子７０が前記第１伝動ブロック７１１によって駆動されて用紙排出方向に回転される。この場合、前記第１伝動回転子７０は、前記第２運動方向変換ユニット９２によって押されて前記第１ラチェット４０から離れ、前記第１伝動回転子７０と前記第１ラチェット４０とを分離し、それにより、用紙排出方向の伝動力の前記用紙ピックアップローラー２０への伝送を遮断する。
【００２４】
前記第２作動面６２及び前記第２作動端８１が合わさって第３運動方向変換ユニット９３を形成する。本実施例において、前記アクチュエータ６０は、前記入力軸３０の軸方向に沿って対称的に設けられた２つの作動ブロック６３を有する。前記作動ブロック６３は、前記第１作動面６１及び前記第２作動面６２に向かう方向に延伸されている。前記第２作動端８１は、前記入力軸３０の軸方向に沿って対称的に設けられた複数の第２伝動ブロック８１１を有する。前記第２伝動ブロック８１１は斜面Ｒ及び段付き面Ｓを有し、前記作動ブロック６３が用紙排出方向に回転する際に前記作動ブロック６３との接触側を斜面Ｒとし、前記作動ブロック６３が給紙方向に回転する際に前記作動ブロック６３との接触側を段付き面Ｓとする。前記第２ラチェット５０及び前記第２ラチェット端８２が合わさって第４運動方向変換ユニット９４を形成する。前記第２ラチェット５０は、前記入力軸３０の軸方向に沿って連続的に形成された環状鋸歯状の面を有する。前記第２ラチェット端８２は、前記入力軸３０の軸方向に沿って連続的に形成された環状鋸歯状の面を有する。これらの環状鋸歯状の面は斜面及び段付き面からなっており、前記第２伝動回転子８０が用紙排出方向に回転する際に前記第２ラチェット５０との接触面を段付き面Ｓとし、前記第２伝動回転子８０が給紙方向に回転する際に前記第２ラチェット５０との接触面則を斜面Ｒとする。
【００２５】
そのため、前記第２伝動回転子８０は前記入力軸３０の回転方向によって異なる方式で運動する。図６及び図７に示すように、前記入力軸３０が前記第２伝動回転子８０に対して用紙排出方向に回転する場合には、前記第２伝動ブロック８１１が回転し、前記第２伝動回転子８０が前記第３運動方向変換ユニット９３によって押されて前記第２ラチェット５０に向かう方向に移動される。前記第２伝動回転子８０は、前記第２ラチェット５０と噛み合い、それにより、用紙排出方向の伝動力を前記用紙ピックアップローラー２０に伝送する。これに対して、前記入力軸３０が前記第２伝動回転子８０に対して給紙方向に回転する場合には、前記第２伝動回転子８０が前記第２伝動ブロック８１１によって駆動されて給紙方向に回転される。この場合、前記第２伝動回転子８０は、前記第４運動方向変換ユニット９４によって押されて前記第２ラチェット５０から離れ、前記第２伝動回転子８０と前記第２ラチェット５０とを分離し、それにより、給紙方向の伝動力の前記用紙ピックアップローラー２０への伝送を遮断する。
【００２６】
前記第１運動方向変換ユニット９１ないし前記第４運動方向変換ユニット９４の作用により、前記入力軸３０は、給紙方向又は用紙排出方向のいずれかに回転しても、伝動力を前記用紙ピックアップローラー２０に伝送することができる。
【００２７】
前記第１運動方向変換ユニット９１ないし第４運動方向変換ユニット９４は、前記入力軸３０を介して入力された伝動力を前記用紙ピックアップローラー２０に伝送する同時に、前記用紙ピックアップローラー２０を介して入力された伝動力の前記入力軸３０への伝送を遮断することができる。
【００２８】
図８に示すように、給紙中の前記用紙ピックアップローラー２０は、前記第１伝動回転子７０が前記第１運動方向変換ユニット９１によって押されて前記第１ラチェット４０と噛み合うと共に、前記第２伝動回転子８０が前記第４運動方向変換ユニット９４によって押されて前記第２ラチェット５０から離れ、それにより、前記第２伝動回転子８０と前記第２ラチェット５０とを分離することができる。
【００２９】
そして、図９を参照しながら説明する。給紙中の前記用紙ピックアップローラー２０が他の下流ローラー（図示せず）の牽引を受けて前記入力軸３０より早い角速度で給紙方向に回転する場合には、前記第１伝動回転子７０が前記第２運動方向変換ユニット９２によって押されて前記第１ラチェット４０から離れ、前記第１伝動回転子７０と前記第１ラチェット４０とを分離し、それにより、給紙方向の伝動力の前記入力軸３０への伝送を遮断する。前記第２伝動回転子８０及び前記第２ラチェット５０は、元々分離しているため、前記用紙ピックアップローラー２０の回転数の増加に影響を受けず、前記第２ラチェット５０との分離状態を保つことができる。そのため、前記用紙ピックアップローラー２０は、下流ローラー（図示せず）によって牽引されて空回りする。
【符号の説明】
【００３０】
１０  固定構造体
１１  第２中空軸
２０  用紙ピックアップローラー
２１  内部空間
３０  入力軸
４０  第１ラチェット
４１  第１中空軸
５０  第２ラチェット
６０  アクチュエータ
６１  第１作動面
６２  第２作動面
６３  作動ブロック
７０  第１伝動回転子
７１  第１作動端
７１１  第１伝動ブロック
７２  第１ラチェット端
７３  第１軸孔
７４  第１挟持面
８０  第２伝動回転子
８１  第２作動端
８１１  第２伝動ブロック
８２  第２ラチェット端
８３  第２軸孔
８４  第２挟持面
９１  第１運動方向変換ユニット
９２    第２運動方向変換ユニット
９３    第３運動方向変換ユニット
９４    第４運動方向変換ユニット
１０１  用紙ピックアップローラー
１０２    用紙分離ユニット
１０３    給紙ローラー
【図１】
0003233296.tif 000003
【図２】
0003233296.tif 000004
【図３】
0003233296.tif 000005
【図４】
0003233296.tif 000006
【図５】
0003233296.tif 000007
【図６】
0003233296.tif 000008
【図７】
0003233296.tif 000009
【図８】
0003233296.tif 000010
【図９】
0003233296.tif 000011
【図１０】
0003233296.tif 000012
【手続補正書】
【提出日】令和3年6月2日(2021.6.2)
【手続補正１】
【補正対象書類名】実用新案登録請求の範囲
【補正対象項目名】全文
【補正方法】変更
【補正の内容】
【実用新案登録請求の範囲】
【請求項１】
軸方向に沿って両末端に延伸された内部空間を有する用紙ピックアップローラーと、
固定構造体と、
前記内部空間に設けられ、前記固定構造体に回転可能にピン接合される入力軸と、
前記入力軸に套設され、且つ前記用紙ピックアップローラーの１つの末端に固定接続される第１ラチェットと、
前記入力軸に套設され、且つ前記用紙ピックアップローラーの他の１つの末端に固定接続される第２ラチェットと、
前記入力軸と共に回転するように前記入力軸に固定され、且つ第１作動面及び第２作動面を有するアクチュエータと、
前記入力軸に套設され、前記第１ラチェットと前記第１作動面との間に位置する第１伝動回転子であって、前記アクチュエータに隣接する当該第１伝動回転子の端面に設けられた第１作動端及び前記第１ラチェットに隣接する当該第１伝動回転子の端面に設けられた第１ラチェット端を有する、第１伝動回転子と、
前記入力軸に套設され、前記第２ラチェットと前記第２作動面との間に位置する第２伝動回転子であって、前記アクチュエータに隣接する当該第２伝動回転子の端面に設けられた第２作動端及び前記第２ラチェットに隣接する当該第２伝動回転子の端面に設けられた第２ラチェット端を有する、第２伝動回転子と、
を含む、双方向用紙ピックアップ構造であって、
前記第１作動面及び前記第１作動端が合わさって第１運動方向変換ユニットを形成し、前記入力軸が前記第１伝動回転子に対して給紙方向に回転すると、前記第１伝動回転子が前記第１運動方向変換ユニットによって押されて前記第１ラチェットに接近する方向へ摺動され、
前記第１ラチェット及び前記第１ラチェット端が合わさって第２運動方向変換ユニットを形成し、前記入力軸が前記第１伝動回転子に対して用紙排出方向に回転すると、前記第１伝動回転子が前記第２運動方向変換ユニットによって押されて前記第１ラチェットから離れる方向へ摺動され、
前記第２作動面及び前記第２作動端が合わさって第３運動方向変換ユニットを形成し、前記入力軸が前記第２伝動回転子に対して用紙排出方向に回転すると、前記第２伝動回転子が前記第３運動方向変換ユニットによって押されて前記第２ラチェットに接近する方向へ摺動され、
前記第２ラチェット及び前記第２ラチェット端が合わさって第４運動方向変換ユニットを形成し、前記入力軸が前記第２伝動回転子に対して給紙方向に回転すると、前記第２伝動回転子が前記第４運動方向変換ユニットによって押されて前記第２ラチェットから離れる方向へ摺動される、
ことを特徴とする、双方向用紙ピックアップ構造。
【請求項２】
前記第１ラチェットは、前記入力軸の軸方向に沿って連続的に形成された環状鋸歯状の面を有し、
前記第１ラチェット端は、前記入力軸の軸方向に沿って連続的に形成された環状鋸歯状の面を有し、かつ、前記第１伝動回転子が給紙方向に回転する際に前記第１ラチェットとの接触面を段付き面とし、前記第１伝動回転子が用紙排出方向に回転する際に前記第１ラチェットとの接触面を斜面とする、
ことを特徴とする、請求項１に記載の双方向用紙ピックアップ構造。
【請求項３】
前記第１ラチェットは、前記入力軸方向に沿って延伸された第１中空軸を有し、
前記第１伝動回転子は、前記入力軸方向に沿って延伸された第１軸孔を有し、
前記第１中空軸は、前記第１軸孔にピン接合され、前記第１軸孔にしっかりとはまる、
ことを特徴とする、請求項１に記載の双方向用紙ピックアップ構造。
【請求項４】
前記第１軸孔の内壁に互いに対向する２つの第１挟持面が設けられ、
前記２つの第１挟持面の間の距離は、前記第１中空軸の直径より小さい、
ことを特徴とする、請求項３に記載の双方向用紙ピックアップ構造。
【請求項５】
前記第２ラチェットは、前記入力軸の軸方向に沿って連続的に形成された環状鋸歯状の面を有し、
前記第２ラチェット端は、前記入力軸の軸方向に沿って連続的に形成された環状鋸歯状の面を有し、かつ、前記第２伝動回転子が用紙排出方向に回転する際に前記第２ラチェットとの接触面を段付き面とし、前記第２伝動回転子が給紙方向に回転する際に前記第２ラチェットとの接触面を斜面とする、
ことを特徴とする、請求項１に記載の双方向用紙ピックアップ構造。
【請求項６】
前記固定構造体は、前記入力軸方向に沿って延伸された第２中空軸を有し、
前記第２伝動回転子は、前記入力軸方向に沿って延伸された第２軸孔を有し、
前記第２中空軸は、前記第２軸孔にピン接合され、前記第２軸孔にしっかりとはまる、
ことを特徴とする、請求項１に記載の双方向用紙ピックアップ構造。
【請求項７】
前記第２軸孔の内壁に互いに対向する２つの第２挟持面が設けられ、
前記２つの第２挟持面の間の距離は、前記第２中空軸の直径より小さい、
ことを特徴とする、請求項６に記載の双方向用紙ピックアップ構造。
【請求項８】
前記アクチュエータは、前記入力軸の軸方向に沿って対称的に設けられた複数の作動ブロックを有し、
前記作動ブロックは、前記第１作動面に向かう方向に延伸され、
前記第１作動端は、前記入力軸の軸方向に沿って対称的に設けられた複数の第１伝動ブロックを有し、
前記第１伝動ブロックは、前記作動ブロックが給紙方向に回転する際に前記作動ブロックとの接触面を斜面とし、前記作動ブロックが用紙排出方向に回転する際に前記作動ブロックとの接触面を段付き面とする、
ことを特徴とする、請求項１に記載の双方向用紙ピックアップ構造。
【請求項９】
前記アクチュエータは、前記入力軸の軸方向に沿って対称的に設けられた複数の作動ブロックを有し、
前記作動ブロックは、前記第２作動面に向かう方向に延伸され、
前記第２作動端は、前記入力軸の軸方向に沿って対称的に設けられた複数の第２伝動ブロックを有し、
前記第２伝動ブロックは、前記作動ブロックが用紙排出方向に回転する際に前記作動ブロックとの接触面を斜面とし、前記作動ブロックが給紙方向に回転する際に前記作動ブロックとの接触面を段付き面とする、
ことを特徴とする、請求項１に記載の双方向用紙ピックアップ構造。
【手続補正２】
【補正対象書類名】明細書
【補正対象項目名】００１４
【補正方法】変更
【補正の内容】
【００１４】
好ましい実施例において、前記アクチュエータは、前記入力軸の軸方向に沿って対称的に設けられた複数の作動ブロックを有し、前記作動ブロックは、前記第２作動面に向かう方向に延伸され、前記第２作動端は、前記入力軸の軸方向に沿って対称的に設けられた複数の第２伝動ブロックを有し、前記第２伝動ブロックは、前記作動ブロックが用紙排出方向に回転する際に前記作動ブロックとの接触面を斜面とし、前記作動ブロックが給紙方向に回転する際に前記作動ブロックとの接触面を段付き面とする。